(57)【要約】      （修正有）【課題】電話機能による音声出力において、規制を遵守可能とすること。【解決手段】携帯電話機１は、音量調整機能を有し、デジタルオーディオデータをアナログオーディオデータに変換するＤ／Ａコンバータ（ＤＡＣ）７と、制御部（ＣＰＵ）２と、を備える。ＣＰＵ２は、通話時以外において、ＤＡＣ７により、音圧規制のための音量制御を実行させる。また、ＣＰＵ２は、通話時において、ＤＡＣ７による、音圧規制のための音量制御を解除し、電話機能による音声出力における規制のための制御を実行する。【選択図】図１
2018117202.tif 000002
【特許請求の範囲】
【請求項１】
電話機能を有する電子機器であって、
音量調整機能を有し、デジタル音声信号をアナログ音声信号に変換するＤ／Ａコンバーターと、
制御部と、を備え、
前記制御部は、
通話時以外において、前記Ｄ／Ａコンバーターにより、音圧規制のための音量制御を実行させ、
通話時において、前記Ｄ／Ａコンバーターによる、音圧規制のための音量制御を解除し、電話機能による音声出力における規制のための制御を実行することを特徴とする電子機器。
【請求項２】
前記制御部は、通話時において、音量調整のための操作を受け付けた場合、音量を調整することを特徴とする請求項１に記載の電子機器。
【請求項３】
前記Ｄ／Ａコンバーターは、所定の音圧レベルを上限に音量を制限することで、音圧規制のための音量制御を実行することを特徴とする請求項１又は２に記載の電子機器。
【請求項４】
一方の増幅器により、非反転の音声信号を増幅して出力するアンバランスモードと、
前記一方の増幅器により、非反転の音声信号を増幅し、他方の増幅器により、反転の音声信号を増幅し、増幅した非反転の音声信号と、増幅した反転の音声を混合して出力するバランスモードと、
前記一方の増幅器により、反転の音声信号を増幅し、前記他方の増幅器により、グラウンドを維持するアクティブコントロールグラウンドモードと、を有し、
前記制御部は、通話時において、モードによって音量設定を変更することを特徴とする請求項１〜３のいずれか１項に記載の電子機器。
【請求項５】
電話機能を有する電子機器の制御プログラムであって、
前記電子機器は、音量調整機能を有し、デジタル音声信号をアナログ音声信号に変換するＤ／Ａコンバーターと、
制御部と、を備え、
前記制御部に、
通話時以外における、前記Ｄ／Ａコンバーターによる、音圧規制のための音量制御の実行、
通話時における、前記Ｄ／Ａコンバーターによる、音圧規制のための音量制御の解除、電話機能による音声出力における規制のための制御、を実行させるための電子機器の制御プログラム。
【発明の詳細な説明】
【技術分野】
【０００１】
本発明は、電話機能を有する電子機器、及び、電子機器の制御プログラムに関する。
【背景技術】
【０００２】
出願人は、特願２０１５−１７１７９６号を出願している。図３は、特願２０１５−１７１７９６号に係る発明のデジタルオーディオプレーヤー（以下、「ＤＡＰ」という。）におけるオーディオデータの流れを示す図である。ＤＡＰは、Ａｎｄｒｏｉｄ（登録商標）  ＯＳを搭載している。音楽再生時、ＳｏＣ（System on Chip）は、基本的には、Ａｎｄｒｏｉｄ（登録商標）が提供するAudio Framework（フレームワーク）に従って、音楽再生を行う。まず、アプリケーションからフレームワークにデジタルオーディオデータが出力される。フレームワークには、オーディオシステム（Audio system）と、ミキサー（Mixer）と、が含まれる。オーディオシステムは、デジタルオーディオデータの入出力関連の設定を行うモジュールである。ミキサーは、複数のトラックを結合し、ボリュームの減衰とエフェクトとを適用するモジュールである。ＳｏＣは、オーディオシステムとミキサーとに従って処理を実行する。
【０００３】
デジタルオーディオデータは、ＤＳＰ、無線モジュール（図３における「ＢＴ」及び「Ｗｉ−Ｆｉ」）、ＵＳＢ  Ｉ／Ｆに出力される。図３において、「ＢＴ」では、Ｂｌｕｅｔｏｏｔｈ（登録商標）規格に従って、外部装置にデジタルオーディオデータが出力される。「ＵＳＢ」では、ＵＳＢ規格（USB audio class）に従って、外部装置にデジタルオーディオデータが出力される。「Ｗｉ−Ｆｉ」では、Ｗｉ−Ｆｉ規格に従って、外部装置にデジタルオーディオデータが出力される。
【０００４】
ＤＳＰは、デジタルオーディオデータをデコード等してスピーカー、ＤＡＣ（Ｄ／Ａコンバーター）に出力する。ＤＡＣは、デジタルオーディオデータをアナログオーディオデータにＤ／Ａ変換して、ラインアウト出力端子（ラインアウト）、アンバランス出力端子（ヘッドホン（アンバランス））、バランス出力端子（ヘッドホン（バランス））に出力する。ＤＡＣは、音量調整機能を有する（バランス出力、アンバランス出力については、特許文献１参照。）。
【０００５】
特願２０１５−１７１７９６号に係る発明では、ヘッドホンのみに関する音量制御は、ヘッドホン出力から最も近くで音量調整機能を有するＤＡＣにより実行される。また、ヘッドホンのみに関する音量制御を除く音量制御は、ＳｏＣにより実行される。例えば、ヘッドホンのみに関する音量制御は、欧州音圧規制（ＥＮ５０３３２）で定義される音圧レベルを上限に、音量を制限する欧州音圧規制である。なお、ＳｏＣは、欧州音圧規制のための音量制御を実行可能である。しかし、ＳｏＣは、ＢＴ、ＵＳＢ、Ｗｉ−Ｆｉへの出力への音量制御を行うため、欧州音圧規制のための音量制御は、ＤＡＣにより実行される。
【０００６】
ここで、特願２０１５−１７１７９６号に係る発明に、電話機能を追加することを考える。ヘッドホンとマイクとを有するヘッドセットが機器に接続されている場合、電話機能による音声出力も、３ＧＰＰによる規定が定められており、順守される必要がある。３ＧＰＰの規定では、音圧だけではなく、歪率、周波数特性の規制も含まれている。３ＧＰＰの規定をクリアするには、ＤＡＣの音圧規制では、不十分である。なお、ここでいう「電話機能」には、３Ｇ／ＬＴＥ（４Ｇ）回線による電話機能、ＶＯＩＰによる電話機能、Ｆａｃｅｂｏｏｋ（登録商標）等のＳＮＳアプリによる電話機能も含まれる。
【先行技術文献】
【特許文献】
【０００７】
【特許文献１】特開２０１３−００５２９１号公報
【発明の概要】
【発明が解決しようとする課題】
【０００８】
上述したように、電話機能による音声出力においては、ＤＡＣの音圧規制では不十分であるという問題がある。
【０００９】
本発明の目的は、電話機能による音声出力において、規制を順守可能とすることである。
【課題を解決するための手段】
【００１０】
第１の発明の電子機器は、電話機能を有する電子機器であって、音量調整機能を有し、デジタル音声信号をアナログ音声信号に変換するＤ／Ａコンバーターと、制御部と、を備え、前記制御部は、通話時以外において、前記Ｄ／Ａコンバーターにより、音圧規制のための音量制御を実行させ、通話時において、前記Ｄ／Ａコンバーターによる、音圧規制のための音量制御を解除し、電話機能による音声出力における規制のための制御を実行することを特徴とする。
【００１１】
本発明では、制御部は、通話時以外において、Ｄ／Ａコンバーターにより、音圧規制のための音量制御を実行させる。これにより、音圧規制を順守することができる。また、制御部は、通話時において、Ｄ／Ａコンバーターによる、音圧規制のための音量制御を解除し、電話機能による音声出力における規制のための制御を実行する。例えば、電話機能による音声出力における規制は、３ＧＰＰの規定による規制であり、音圧、歪率、周波数特性の規制を含む。制御部は、これらを制御可能であるため、電話機能による音声出力（通話時）において、規制を順守することができる。
【００１２】
第２の発明の電子機器は、第１の発明の電子機器において、前記制御部は、通話時において、音量調整のための操作を受け付けた場合、音量を調整することを特徴とする。
【００１３】
第３の発明の電子機器は、第１又は第２の発明の電子機器において、前記Ｄ／Ａコンバーターは、所定の音圧レベルを上限に音量を制限することで、音圧規制のための音量制御を実行することを特徴とする。
【００１４】
第４の発明の電子機器は、第１〜第３のいずれかの発明の電子機器において、一方の増幅器により、非反転の音声信号を増幅して出力するアンバランスモードと、前記一方の増幅器により、非反転の音声信号を増幅し、他方の増幅器により、反転の音声信号を増幅し、増幅した非反転の音声信号と、増幅した反転の音声を混合して出力するバランスモードと、前記一方の増幅器により、反転の音声信号を増幅し、前記他方の増幅器により、グラウンドを維持するアクティブコントロールグラウンドモードと、を有し、前記制御部は、通話時において、モードによって音量設定を変更することを特徴とする。
【００１５】
第５の発明の電子機器の制御プログラムは、電話機能を有する電子機器の制御プログラムであって、前記電子機器は、音量調整機能を有し、デジタル音声信号をアナログ音声信号に変換するＤ／Ａコンバーターと、制御部と、を備え、前記制御部に、通話時以外における、前記Ｄ／Ａコンバーターによる、音圧規制のための音量制御の実行、通話時における、前記Ｄ／Ａコンバーターによる、音圧規制のための音量制御の解除、電話機能による音声出力における規制のための制御、を実行させる。
【発明の効果】
【００１６】
本発明によれば、電話機能による音声出力における規制を順守することができる。
【図面の簡単な説明】
【００１７】
【図１】本発明の実施形態に係る携帯電話機の構成を示すブロック図である。
【図２】電話着信時の携帯電話機の処理動作を示すシーケンス図である。
【図３】特願２０１５−１７１９４５号に係る発明のデジタルオーディオプレーヤーにおけるオーディオデータの流れを示す図である。
【発明を実施するための形態】
【００１８】
以下、本発明の実施形態について説明する。図１は、本発明の実施形態に係る携帯電話機の構成を示すブロック図である。携帯電話機１（電子機器）は、ＳｏＣ２、記憶部３、表示部４、操作部５、ＤＳＰ６、Ｄ／Ａコンバーター（以下、「ＤＡＣ」という。）７、増幅回路８、無線モジュール９、ＵＳＢインターフェース（以下、「ＵＳＢ  Ｉ／Ｆ」という。）１０、スピーカー１１、モデム１２を備える。なお、本実施形態に係る携帯電話機１は、いわゆるスマートフォンである。
【００１９】
ＳｏＣ（System on Chip）２（制御部）は、ＣＰＵ（Central Processing Unit）、ＤＳＰ（Digital Signal Processor）、メモリ等を有し、携帯電話機１を構成する各部を制御する。記憶部３は、ＯＳプログラム、アプリケーションプログラム等のプログラム、デジタルオーディオデータ等の各種データを記憶するフラッシュメモリである。なお、記憶部３は、例示する構成に限られず、ＨＤＤ（Hard Disk Drive）等であってもよい。
【００２０】
表示部４は、種々の画像（静止画像、動画像を含む）を表示するものであり、液晶パネルにより構成されている。操作部５は、各種設定を行うための操作キー、及び、表示部４と連動したタッチパネルを備えている。ユーザーは、操作部５を介して、各種の文字入力、設定などを行うことが可能である。
【００２１】
ＤＳＰ（Digital Signal Processor）６は、デジタルオーディオデータに、イコライザー処理等の信号処理、デコードを行う。ＤＡＣ７（Ｄ／Ａコンバーター）は、デジタルオーディオデータ（デジタル音声信号）をアナログオーディオデータ（アナログ音声信号）にＤ／Ａ変換する。また、ＤＡＣ７は、音量調整機能を有する。増幅回路８は、ＤＡＣ７がＤ／Ａ変換したアナログオーディオデータを増幅し、ヘッドセット１０１又はヘッドホンに出力する。無線モジュール９は、Ｂｌｕｅｔｏｏｔｈ（登録商標）規格、Ｗｉ−Ｆｉ規格に従った無線通信を行うためのものである。ＵＳＢ  Ｉ／Ｆ１０は、ＵＳＢ規格に従った通信を行うためのものである。
【００２２】
モデム１２は、他の機器と通話を行うためのものであり、送受信データの変調及び復調を行う。
【００２３】
特願２０１５−１７１７９６号に係る発明同様に、音楽再生時、ＳｏＣ２は、基本的には、Ａｎｄｒｏｉｄ（登録商標）が提供するAudio Framework（フレームワーク）に従って、音楽再生を行う（図３参照。）。
【００２４】
図２は、電話着信時の携帯電話機１の処理動作を示すシーケンス図である。なお、携帯電話機１は、ヘッドホンとマイクとを有するヘッドセット１０１、又は、ヘッドホンが接続されている場合に、以下の処理を行う。携帯電話機１において、着信が発生した後（１）、ＳｏＣ２は、操作部５を介して、所定の操作を受け付けると、受電する（フック）（２）。次に、ＳｏＣ２は、ＤＡＣ７による、音圧規制のための音量制御を解除する（３）。同時に、ＳｏＣ２は、電話機能による音声出力における規制のための制御を実行する。ＳｏＣ２は、通話音声の歪率、周波数特性、音圧をチューニングすることで、電話機能による音声出力における規制のための制御を実行する。
【００２５】
また、ＳｏＣ２は、モードによって、音量設定を変更する（４）。ここで、モードとして、アンバランスモード、バランスモード、アクティブコントロールグラウンド（以下、「ＡＣＧ」という。）モードが含まれる。アンバランスモードは、増幅回路８に含まれる一方の増幅器により、非反転のアナログオーディオデータを増幅して出力するモードである。バランスモードは、増幅回路８に含まれる一方の増幅器により、非反転のアナログオーディオデータを増幅し、増幅回路８に含まれる他方の増幅器により、反転のアナログオーディオデータを増幅し、増幅した非反転のアナログオーディオデータと、増幅した非反転のアナログオーディオデータと、を混合して出力するモードである。ＡＣＧモードは、増幅回路８に含まれる一方の増幅器により、非反転のアナログオーディオデータを増幅し、増幅回路８に含まれる他方の増幅器によりグラウンドを維持する、ＡＣＧモードである。ＳｏＣ２は、他方の増幅器にデジタルオーディオデータを出力するＤＡＣ７の出力をミュートすることで、他方の増幅器によりグラウンドを維持する。それぞれのモードにおいて、出力音圧が異なるため、設定を分ける必要がある。
【００２６】
ＳｏＣ２は、受信した音声信号をＤＡＣ７によりＤ／Ａ変換し、ヘッドセット１０１（又はヘッドホン）から出力させることで、通話を開始する（受話）（５）。ＳｏＣ２は、所定の操作を受け付けると、通話を終了する（６）。次に、ＳｏＣ２は、音量設定を通話前に戻す（７）。次に、ＳｏＣ２は、ＤＡＣ７により、音圧規制のための音量制御を実行させる（８）。ＤＡＣ７は、欧州音圧規制（ＥＮ５０３３２）で定義される音圧レベルを上限に、音量を制限することで、音圧規制のための音量制御を実行する。
【００２７】
なお、ＳｏＣ２は、操作部５を介して、通話時において、音量調整のための操作を受け付けた場合、音量を調整する。また、ＳｏＣ２は、操作部５を介して、通話時において、ＤＡＣ７の設定変更のための操作を受け付けた場合、ＤＡＣ７の設定を変更する。
【００２８】
以上説明したように、ＳｏＣ２は、通話時以外（例えば、音楽再生時）において、ＤＡＣ７により、音圧規制のための音量制御を実行させる。これにより、音圧規制を順守することができる。また、ＳｏＣ２は、通話時において、ＤＡＣ７による、音圧規制のための音量制御を解除し、電話機能による音声出力における規制のための制御を実行する。例えば、通話時における規制は、３ＧＰＰの規定による規制であり、音圧、歪率、周波数特性を含む。ＳｏＣ２は、これらを制御可能であるため、電話機能による出力における規制を順守することができる。
【００２９】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３０】
上述の実施形態においては、電子機器として、３Ｇ／ＬＴＥ（４Ｇ）回線により電話機能を実現する携帯電話機（スマートフォン）を例示した。これに限らず、タブレットＰＣ、デジタルオーディオプレーヤー（ＤＡＰ）等であってもよい。この場合、電話機能は、ＳＮＳアプリにより実現されてもよい。また、ＶＯＩＰ回線により電話機能が実現されてもよい。
【産業上の利用可能性】
【００３１】
本発明は、電話機能を有する電子機器、及び、電子機器の制御プログラムに好適に採用され得る。
【符号の説明】
【００３２】
１  携帯電話機（電子機器）
２  ＳｏＣ（制御部）
４  表示部
５  操作部
７  ＤＡＣ（Ｄ／Ａコンバーター）
８  増幅回路
１２  モデム
【図１】
2018117202.tif 000003
【図２】
2018117202.tif 000004
【図３】
2018117202.tif 000005